(57)【要約】【課題】測距窓から入射した光が通過する窓孔を備えたミラーと、該ミラーの窓孔を通った光が通過する貫通孔及びブライトフレーム表示用のスリットが形成されたフレームマスクプレートと、該フレームマスクプレートを通った光を接眼レンズに向けて反射し、かつファインダー窓から入射した光を接眼レンズに導くハーフミラーと、フレームマスクプレートに直接又は前記ミラーを介して外部の光を取り入れるための採光窓とを有するカメラのレンジファインダーにおいて、採光窓に強い光が入射したとき、測距窓から入射した被写体像が見難くなることを防止する。【解決手段】ミラー８の窓孔９を通った光をフレームマスクプレート１０の貫通孔１１に導くと共に、採光窓３から取り入れられた光がフレームマスクプレート１０の貫通孔１１に入射することを防止する筒状体１７を設ける。【選択図】  図２
2004198797.tif 000002
【特許請求の範囲】
【請求項１】
測距窓から入射した光が通過する窓孔を備えたミラーと、該ミラーの窓孔を通った光が通過する貫通孔及びブライトフレーム表示用のスリットが形成されたフレームマスクプレートと、該フレームマスクプレートを通った光を接眼レンズに向けて反射し、かつファインダー窓から入射した光を前記接眼レンズに導くハーフミラーと、前記フレームマスクプレートに直接又は前記ミラーを介して外部の光を取り入れるための採光窓とを有するカメラのレンジファインダーにおいて、
前記ミラーの窓孔を通った光を前記フレームマスクプレートの貫通孔に導くと共に、前記採光窓から取り入れられた光が前記フレームマスクプレートの貫通孔に入射することを防止するための筒状体を設けたことを特徴とするカメラのレンジファインダー。
【請求項２】
測距窓から入射した光が通過する窓孔を備えたミラーと、該ミラーの窓孔を通った光が通過する貫通孔及びブライトフレーム表示用のスリットが形成されたフレームマスクプレートと、該フレームマスクプレートを通った光を接眼レンズに向けて反射し、かつファインダー窓から入射した光を前記接眼レンズに導くハーフミラーと、前記フレームマスクプレートに直接又は前記ミラーを介して外部の光を取り入れるための採光窓とを有するカメラのレンジファインダーにおいて、
前記フレームマスクプレートを向いた側の前記ミラーの反射面における前記窓孔の周辺部分に、光の反射を阻止し、ないしは当該光の反射を抑える光吸収手段を設けたことを特徴とするカメラのレンジファインダー。
【請求項３】
測距窓から入射した光が通過する窓孔を備えたミラーと、該ミラーの窓孔を通った光が通過する貫通孔及びブライトフレーム表示用のスリットが形成されたフレームマスクプレートと、該フレームマスクプレートを通った光を接眼レンズに向けて反射し、かつファインダー窓から入射した光を前記接眼レンズに導くハーフミラーと、前記フレームマスクプレートに直接又は前記ミラーを介して外部の光を取り入れるための採光窓とを有するカメラのレンジファインダーにおいて、
前記ミラーの窓孔を通った光を前記フレームマスクプレートの貫通孔に導くと共に、前記採光窓から取り入れられた光が前記フレームマスクプレートの貫通孔に入射することを防止するための筒状体を設け、前記フレームマスクプレートを向いた側の前記ミラーの反射面における前記窓孔の周辺部分に、光の反射を阻止し、ないしは当該光の反射を抑える光吸収手段を設けたことを特徴とするカメラのレンジファインダー。
【発明の詳細な説明】
【０００１】
【発明の属する技術分野】
本発明は、測距窓から入射した光が通過する窓孔を備えたミラーと、該ミラーの窓孔を通った光が通過する貫通孔及びブライトフレーム表示用のスリットが形成されたフレームマスクプレートと、該フレームマスクプレートを通った光を接眼レンズに向けて反射し、かつファインダー窓から入射した光を前記接眼レンズに導くハーフミラーと、前記フレームマスクプレートに直接又は前記ミラーを介して外部の光を取り入れるための採光窓とを有するカメラのレンジファインダーに関する。
【０００２】
【従来の技術】
上記形式のカメラのレンジファインダーは従来より周知である。この形式のレンジファインダーによれば、接眼レンズを覗き込み、測距窓とファインダー窓を通してそれぞれ入射した被写体像を目視しながら、ピントリングを回転操作して、両被写体像を合致させることにより、ピント合せを行うことができる。また、採光窓を通してフレームマスクプレートに光が取り入れられるので、接眼レンズを通してブライトフレームを明瞭に目視することができる。
【０００３】
ところが、従来のレンジファインダーにおいては、採光窓に強い光が入射すると、その光がフレームマスクプレートの貫通孔を通して接眼レンズに入射するので、測距窓からの被写体像の表示部分が異常に光って見え、その像が見ずらくなり、ピント合せ操作を行い難くなる欠点があった。
【０００４】
【発明が解決しようとする課題】
本発明の目的は、上記従来の欠点を簡単な構成によって除去した冒頭に記載した形式のカメラのレンジファインダーを提供することにある。
【０００５】
【課題を解決するための手段】
本発明は、上記目的を達成するため、冒頭に記載した形式のカメラのレンジファインダーにおいて、前記ミラーの窓孔を通った光を前記フレームマスクプレートの貫通孔に導くと共に、前記採光窓から取り入れられた光が前記フレームマスクプレートの貫通孔に入射することを防止するための筒状体を設けたことを特徴とするカメラのレンジファインダーを提案する（請求項１）。
【０００６】
また、本発明は、上記目的を達成するため、冒頭に記載した形式のカメラのレンジファインダーにおいて、前記フレームマスクプレートを向いた側の前記ミラーの反射面における前記窓孔の周辺部分に、光の反射を阻止し、ないしは当該光の反射を抑える光吸収手段を設けたことを特徴とするカメラのレンジファインダーを提案する（請求項２）。
【０００７】
さらに、本発明は、上記目的を達成するため、冒頭に記載した形式のカメラのレンジファインダーにおいて、前記ミラーの窓孔を通った光を前記フレームマスクプレートの貫通孔に導くと共に、前記採光窓から取り入れられた光が前記フレームマスクプレートの貫通孔に入射することを防止するための筒状体を設け、前記フレームマスクプレートを向いた側の前記ミラーの反射面における前記窓孔の周辺部分に、光の反射を阻止し、ないしは当該光の反射を抑える光吸収手段を設けたことを特徴とするカメラのレンジファインダーを提案する（請求項３）。
【０００８】
【発明の実施の形態】
以下、本発明の実施形態例を図面に従って詳細に説明する。
【０００９】
図１はカメラの外観斜視図であり、図２はそのカメラのレンジファインダーの各要素の配列状態を示す部分断面平面図である。これらの図に示すように、カメラの正面側には、測距窓１、ファインダー窓２、及び採光窓３がそれぞれ配置され、これらの窓はカメラの筐体に固定された透光性のガラス又は樹脂などにより構成されている。また、カメラの背面側には接眼レンズ４が配置され、さらにカメラの正面側に、レンズマウントに装着された撮影用のレンズ５が配置されている。
【００１０】
図２に矢印Ｌ１で示したように、測距窓１から入射した光は、反射鏡６で反射した後、レンズ７を通り、次いでミラー８の窓孔９を通過し、その窓孔９を通った光はフレームマスクプレート１０に形成された貫通孔１１を通り、引き続き集光レンズ１２を通過した後、プリズムにより構成されたハーフミラー１３にて、接眼レンズ４へ向けて反射する。一方、矢印Ｌ２で示すように、ファインダー窓２から入射した光はハーフミラー１３を通って、接眼レンズ４に導かれる。
【００１１】
接眼レンズ４を覗くと、測距窓１から入射して、反射鏡６、レンズ７、ミラー８の窓孔９、フレームマスクプレート１０の貫通孔１１、集光レンズ１２及びハーフミラー１３を通った被写体像を、図３に示した小面積領域Ａ内に目視でき、同時にファインダー窓２から入射してハーフミラー１３を通った被写体像を目視することができる。そこで、図１に示したピントリング１４を回転操作することにより、接眼レンズ４上の二重像を合致させて、ピント合せを行うことができる。
【００１２】
また、フレームマスクプレート１０には、ブライトフレーム用のスリット１５が形成されており、採光窓３を通して外部から入射した光が、直接、又はミラー８の反射面１６で反射してフレームマスクプレート１０に当てられ、その光が、スリット１５を通過し、次いで集光レンズ１２及びハーフミラー１３を通して接眼レンズ４に導かれる。これにより、接眼レンズ４を覗くと、図３に示すようにレンズの画角に応じたブライトフレームＦを明瞭に目視することができる。
【００１３】
上述のように、本例のカメラのレンジファインダーは、測距窓１から入射した光が通過する窓孔９を備えたミラー８と、該ミラー８の窓孔９を通った光が通過する貫通孔１１及びブライトフレーム表示用のスリット１５が形成されたフレームマスクプレート１０と、該フレームマスクプレート１０を通った光を接眼レンズ４に向けて反射し、かつファインダー窓２から入射した光を接眼レンズ４に導くハーフミラー１３と、フレームマスクプレート１０に直接又は前記ミラー８を介して外部の光を取り入れるための採光窓３とを有している。かかる構成は従来より周知なレンジファインダーと変わりはない。
【００１４】
上述したレンジファインダーによれば、採光窓３からフレームマスクプレート１０に外部光を取り入れ、その光をスリット１５を通過させるように構成されているので、接眼レンズ４を通してブライトフレームＦを明瞭に目視することができる。ところが、先にも説明したように、従来のレンジファインダーにおいては、採光窓３に強い光が入射すると、その強い光がフレームマスクプレート１０の貫通孔１１に入射して、図３に示した小面積領域Ａが異常に強く光ってしまい、ここに表示される被写体像が見難くなる欠点を免れなかった。
【００１５】
そこで、本例のレンジファインダーにおいては、図２に示すように、フレームマスクプレート１０のミラー８を向いた側の面に対向して筒状体１７が設けられている。図示した例では、その筒状体１７が円筒状に形成されていて、フレームマスクプレート１０を支持するフレーム１８に透明ガラス１９が固定され、筒状体１７が、この透明ガラス１９を貫通し、かつ該ガラス１９に固定支持されている。この筒状体１７の入口側開口２０はミラー８の窓孔９を向き、筒状体１７の出口側開口２１はフレームマスクプレート１０の貫通孔１１に整合した状態で、該プレート１０に接近して位置し、又は当接している。
【００１６】
筒状体１７を上述のように設けることにより、ミラー８の窓孔９を通った光を、筒状体１７内を通してフレームマスクプレート１０の貫通孔１１に導くことができ、しかも採光窓３から取り入れられた光が、フレームマスクプレート１０の貫通孔１１に入射することを防止することができる。採光窓３から入った光の極く一部が、貫通孔１１に入射することがあったとしても、大部分の光は、筒状体１７に遮られて貫通孔１１へ入射することが阻止される。
【００１７】
上述した構成により、採光窓３から強い光が入り込んだときも、その光が貫通孔１１に入射することを阻止し、ないしは効果的に抑制することができ、しかも測距窓１から入射した光についてはこれを確実にフレームマスクプレート１０の貫通孔１１に導くことができるので、接眼レンズ４を覗いたときに目視される小面積領域Ａが極端に光って被写体像が見ずらくなる不具合を阻止できる。採光窓３から入射した光は、透明ガラス９を透過してフレームマスクプレート１０のスリット１５に入射することができる。
【００１８】
また、図２及び図４に示すように、フレームマスクプレート１０を向いた側のミラー８の反射面１６における窓孔９の周辺部分に、例えば黒色塗料、或いは黒色テープなどから成る光吸収手段２２を設け、その窓孔９の周辺部分における光の反射を阻止し、ないしはその光の反射を抑えることによっても、採光窓３から入射した強い光がフレームマスクプレート１０の貫通孔１１に入射することを抑えることができる。これにより小面積領域Ａが過度に光って、被写体像が見難くなる不具合を阻止できる。
【００１９】
上述した筒状体１７と光吸収手段２２のいずれか一方の構成を採用するだけであっても、測距窓１から入射した被写体像が見難くなる欠点を防止できるが、図示した例のように、これらの構成を共に採用すると、その効果を一層高めることができる。
【００２０】
【発明の効果】
本発明によれば、採光窓から強い光が入射したときも、測距窓からの被写体像が見ずらくなる不具合を阻止することができる。
【図面の簡単な説明】
【図１】カメラの外観斜視図である。
【図２】図１に示したカメラに設けられたレンジファインダーの部分断面平面図である。
【図３】接眼レンズを覗いたときの様子を示す図である。
【図４】光吸収手段を設けたミラーを示す図である。
【符号の説明】
１  測距窓
２  ファインダー窓
３  採光窓
４  接眼レンズ
８  ミラー
９  窓孔
１０  フレームマスクプレート
１１  貫通孔
１３  ハーフミラー
１５  スリット
１６  反射面
１７  筒状体
Ｆ  ブライトフレーム
２２  光吸収手段
【図１】
2004198797.tif 000003
【図２】
2004198797.tif 000004
【図３】
2004198797.tif 000005
【図４】
2004198797.tif 000006